(57)【要約】      （修正有）【課題】スライダ本体の成形用の金型の構造を簡素化できると共に、生産効率の良いスライダ構造体を提供する。【解決手段】スライダ本体１は、左右一方の第１側壁部２１側に第１誘導路１１、及び絞り部から側外方へ第１シート部Ｓ１の端縁部を挿通させるための第１側方開口部３１を有し、ファスナ雌雄一方部Ｆａが前記第１誘導路から前記第１側方開口部を介して側外方へ抜けるのを防止する第１当り凸部４１を有し、第２側壁部２２側に第２誘導路１２及び前記絞り部から側外方へ第２シート部Ｓ２の端縁部を挿通させるための第２側方開口部３２を有し、ファスナ雌雄他方部Ｆｂが前記第２誘導路から抜けるのを防止する第２当り凸部４２を有し、さらに、前記第１側壁部に前記第２当り凸部の内側面に対応する金型抜き用の第１窓部５１を有すると共に、前記第２側壁部に前記第１当り凸部の内側面に対応する金型抜き用の第２窓部５２を有するものである。【選択図】図４
2019162166.tif 000002
【特許請求の範囲】
【請求項１】
第１シート部（Ｓ１）の外端縁部に設けられたファスナ雌雄一方部（Ｆａ）と第２シート部（Ｓ２）の外端縁部に設けられたファスナ雌雄他方部（Ｆｂ）とを相互に押圧して係合させるための絞り部（13）と、上記ファスナ雌雄一方部（Ｆａ）を上記絞り部（13）へ誘導する第１誘導路（11）と、上記ファスナ雌雄他方部（Ｆｂ）を上記絞り部（13）へ誘導する第２誘導路（12）と、を有するスライダ本体（１）を備えた、スライダ構造体に於て、
上記スライダ本体（１）は、左右一方の第１側壁部（21）側に上記第１誘導路（11）及び上記絞り部（13）から側外方へ上記第１シート部（Ｓ１）の端縁部（Ｓａ）を挿通させるための第１側方開口部（31）を有すると共に、上記ファスナ雌雄一方部（Ｆａ）が上記第１誘導路（11）から上記第１側方開口部（31）を介して側外方へ抜けるのを防止する第１当り凸部（41）を有し、
上記スライダ本体（１）は、左右他方の第２側壁部（22）側に上記第２誘導路（12）及び上記絞り部（13）から側外方へ上記第２シート部（Ｓ２）の端縁部（Ｓｂ）を挿通させるための第２側方開口部（32）を有すると共に、上記ファスナ雌雄他方部（Ｆｂ）が上記第２誘導路（12）から上記第２側方開口部（32）を介して側外方へ抜けるのを防止する第２当り凸部（42）を有し、
さらに、上記スライダ本体（１）は、上記第１側壁部（21）に上記第２当り凸部（42）の内側面（42ｄ）に対応する金型抜き用の第１窓部（51）を有すると共に、上記第２側壁部（22）に上記第１当り凸部（41）の内側面（41ｄ）に対応する金型抜き用の第２窓部（52）を有することを特徴とするスライダ構造体。
【請求項２】
上記スライダ本体（１）は、上記第１誘導路（11）を天壁部（23）側に有すると共に、上記第２誘導路（12）を底壁部（24）側に有し、かつ、上記第１誘導路（11）の下面を形成すると共に上記第２誘導路（12）の上面を形成する仕切壁部（25）を有し、
さらに、上記スライダ本体（１）は、上記底壁部（24）に、上記天壁部（23）の前端（23ａ）及び上記仕切壁部（25）の前端（25ａ）よりも前方側（Ｎａ）へ延伸状に突設され上記第２シート部（Ｓ２）が載置される誘引突片部（24ｋ）を有する請求項１記載のスライダ構造体。
【発明の詳細な説明】
【技術分野】
【０００１】
本発明は、ファスナを開閉するためのスライダ構造体に関する。
【背景技術】
【０００２】
従来、図20に示すように、第１シート部Ｓ１の外端縁部に設けられたファスナ雄部ｆａと、第２シート部Ｓ２の外端縁部に設けられたファスナ雌部ｆｂと、を相互に押圧して係合させるためのスライダ本体90を有するスライダ構造体があった（例えば、特許文献１参照）。
このような従来のスライダ構造体は、スライダ本体90に、ファスナ雄部ｆａとファスナ雌部ｆｂとを係合させるための絞り部と、ファスナ雄部ｆａを絞り部へ誘導する第１誘導路91と、ファスナ雌部ｆｂを絞り部へ誘導する第２誘導路92と、第１誘導路91と絞り部から側外方へ第１シート部Ｓ１の端縁部Ｓａを挿通させるための第１側方スリット部93と、第２誘導路92と絞り部から側外方へ第２シート部Ｓ１の端縁部Ｓｂを挿通させるための第２側方スリット部94と、を有していた。
【先行技術文献】
【特許文献】
【０００３】
【特許文献１】実開平４−６４２０８号公報
【発明の概要】
【発明が解決しようとする課題】
【０００４】
しかし、従来のスライダ構造体は、スライダ本体90を成形用金型にて作製する際に、図21に示すように、左右一方側の第１金型81と、左右他方側の第２金型82と、第１誘導路91を形成するための第１引き抜き中子（スライドコア）83と、第２誘導路92を形成するための第２引き抜き中子（スライドコア）84と、が必要であった。さらに、第１・第２誘導路91，92は、絞り部に向かって相互に接近する傾斜状であるため、第１・第２引き抜き中子83，84が、夫々、傾斜状に引き抜けるように金型を構成する必要があり、金型の製作が困難であると共に、金型の段取りや保守点検等に多大な手間と時間がかかるといった問題があった。また、このような金型セットは、１つの金型セットで１つのスライダ本体90しか製作できず（採り数が１つで）、生産効率が非常に悪いといった問題もあった。
【０００５】
そこで、本発明は、スライダ本体の成形用金型の構造を簡素化できると共に、生産効率の良いスライダ構造体の提供を目的とする。
【課題を解決するための手段】
【０００６】
本発明のスライダ構造体は、第１シート部の外端縁部に設けられたファスナ雌雄一方部と第２シート部の外端縁部に設けられたファスナ雌雄他方部とを相互に押圧して係合させるための絞り部と、上記ファスナ雌雄一方部を上記絞り部へ誘導する第１誘導路と、上記ファスナ雌雄他方部を上記絞り部へ誘導する第２誘導路と、を有するスライダ本体を備えた、スライダ構造体に於て、上記スライダ本体は、左右一方の第１側壁部側に上記第１誘導路及び上記絞り部から側外方へ上記第１シート部の端縁部を挿通させるための第１側方開口部を有すると共に、上記ファスナ雌雄一方部が上記第１誘導路から上記第１側方開口部を介して側外方へ抜けるのを防止する第１当り凸部を有し、上記スライダ本体は、左右他方の第２側壁部側に上記第２誘導路及び上記絞り部から側外方へ上記第２シート部の端縁部を挿通させるための第２側方開口部を有すると共に、上記ファスナ雌雄他方部が上記第２誘導路から上記第２側方開口部を介して側外方へ抜けるのを防止する第２当り凸部を有し、さらに、上記スライダ本体は、上記第１側壁部に上記第２当り凸部の内側面に対応する金型抜き用の第１窓部を有すると共に、上記第２側壁部に上記第１当り凸部の内側面に対応する金型抜き用の第２窓部を有するものである。
また、上記スライダ本体は、上記第１誘導路を天壁部側に有すると共に、上記第２誘導路を底壁部側に有し、かつ、上記第１誘導路の下面を形成すると共に上記第２誘導路の上面を形成する仕切壁部を有し、さらに、上記スライダ本体は、上記底壁部に、上記天壁部の前端及び上記仕切壁部の前端よりも前方側へ延伸状に突設され上記第２シート部が載置される誘引突片部を有するものである。
【発明の効果】
【０００７】
本発明によれば、スライダ本体を作製するための成形用の金型の構造を簡素化でき、金型を容易に製作できると共に、金型の保守点検も容易かつ迅速に行うことができる。一対（１セット）の分割金型で、複数個のスライダ本体を同時成形でき（複数個採りでき）、生産効率を大幅に向上できる。
【図面の簡単な説明】
【０００８】
【図１】本発明の実施の一形態の使用状態を示す平面図である。
【図２】使用状態の一例を示す斜視図である。
【図３】図１のＸ−Ｘ断面図である。
【図４】図３のＹ−Ｙ断面図である。
【図５】図３のＺ−Ｚ断面図である。
【図６】スライダ本体の一例を示す左上方側から見た斜視図である。
【図７】スライダ本体の一例を示す右下方側から見た斜視図である。
【図８】スライダ本体の一例を示す図であって、（ａ）は正面図であり、（ｂ）は右側面図であり、（ｃ）は左側面図であり、（ｄ）は平面図であり、（ｅ）は底面図であり、（ｆ）は背面図である。
【図９】成形用の金型の一例を示す図であって、（ａ）は金型組付状態の端面図であり、（ｂ）は金型分解状態の端面図である。
【図１０】本発明のスライダ構造体の第２の実施形態を示し、左上方側から見た斜視図である。
【図１１】右下方側から見た斜視図である。
【図１２】使用状態の断面側面図である。
【図１３】図12のＡ−Ａ断面図である。
【図１４】図12のＢ−Ｂ断面図である。
【図１５】スライダ本体を示す図であって、（ａ）は正面図であり、（ｂ）は右側面図であり、（ｃ）は左側面図である。
【図１６】背面図である。
【図１７】平面図である。
【図１８】底面図である。
【図１９】作用を説明するための断面側面図であって、（ａ）は第２シート部載置状態の断面側面図であり、（ｂ）は第２シート部差込み状態の断面側面図であり、（ｃ）は第１シート部載置状態の断面側面図であり、（ｄ）は第１シート部差込み状態の断面側面図である。
【図２０】従来のスライダ本体を示す断面正面図である。
【図２１】従来技術の問題点を説明するための図であって、（ａ）は従来技術の金型組付状態の端面図であり、（ｂ）は従来技術の金型分解状態の端面図である。
【発明を実施するための形態】
【０００９】
以下、図示の実施形態に基づき本発明を詳説する。
本発明に係るスライダ構造体は、図１乃至図５に示すように、第１シート部Ｓ１の外端縁部に設けられたファスナ雌雄一方部Ｆａ（以下、雌雄一方部Ｆａと呼ぶ場合もある）と、第２シート部Ｓ２の外端縁部に設けられたファスナ雌雄他方部Ｆｂ（以下、雌雄他方部Ｆｂと呼ぶ場合もある）とを、係合・分離させるためのスライダ本体１を備え、さらに、スライダ本体１に取着される操作力付与用の把持部材２を備えている。なお、図２乃至図４に於て、把持部材２は図示省略している。
【００１０】
スライダ本体１は、前方側Ｎａへスライドすることで後方側ＮｂのファスナＦを係合状態（閉状態）にし、後方側Ｎｂへスライドすることで前方側ＮａのファスナＦを分離状態（開状態）にする。
【００１１】
図６乃至図８に示すように、スライダ本体１は、樹脂製であって、左右一方側の第１側壁部21と、左右他方側の第２側壁部22と、天壁部23と、底壁部24と、天壁部23に上方凸状に設けられ把持部材２が取着する被取付部29と、を有する金型成形品（樹脂成形品）である。
【００１２】
図３乃至図８に示すように、スライダ本体１は、内部に、雌雄一方部Ｆａと雌雄他方部Ｆｂとをシート厚み方向（上下方向）に相互に押圧して係合させるための絞り部13を後部に有し、さらに、雌雄一方部Ｆａを絞り部13へ誘導する第１誘導路11と、雌雄他方部Ｆｂを絞り部13へ誘導する第２誘導路12と、を有している。
【００１３】
第１誘導路11を天壁部23側（上部側）に配設し、第２誘導路12を底壁部24側（下部側）に配設して、第１誘導路11の後部と第２誘導路12の後部とを絞り部13の手前で上下方向に接近させて合流させている。
また、スライダ本体１は、第１誘導路（上側誘導路）11の下面を形成すると共に第２誘導路（下側誘導路）12の上面を形成する仕切壁部25（図３参照）を有し、仕切壁部25の後部25ｇは、後方へ向かって上面と下面が相互に接近する後方先細状に形成され、絞り部13の手前で消失している。
【００１４】
そして、スライダ本体１は、左右一方の第１側壁部21側に、第１誘導路11と絞り部13を、側外方へ開口させる第１側方開口部31を有している。第１側方開口部31は、第１誘導路11と絞り部13から側外方へ第１シート部Ｓ１の端縁部（シート状部位）Ｓａを挿通させる。つまり、第１側方開口部31は、使用状態で雌雄一方部Ｆａが前後方向に通過する通路を、左右一方側へ開口するように設けている。
【００１５】
また、スライダ本体１は、左右他方の第２側壁部22側に、第２誘導路12と絞り部13を、側外方へ開口させる第２側方開口部32を有している。第２側方開口部32は、第２誘導路12と絞り部13から側外方へ第２シート部Ｓ２の端縁部（シート状部位）Ｓｂを挿通させる。つまり、第２側方開口部32は、使用状態で雌雄他方部Ｆｂが前後方向に挿通する通路を、左右他方側へ開口するように設けている。
【００１６】
さらに、スライダ本体１は、雌雄一方部Ｆａが第１誘導路11から第１側方開口部31を介して側外方へ抜けるのを防止する第１当り凸部41を有している。
第１当り凸部41は、第１誘導路11の前方開口部11ａ近傍から第１誘導路11の前後中間部にまで対応して設けている。第１当り凸部41は、（第１誘導路11の下面と同一面状の）第１側方開口部31の下面から、上方突出状に設けている。そして、第１当り凸部41の上面は、（第１誘導路11の上面と同一面状の）第１側方開口部31の上面との間で、第１シート部Ｓ１の端縁部Ｓａが横断面一文字状に挿通可能に設けている（図４参照）。従って、図20の従来技術のように第１シート部Ｓ１の端縁部ＳａがＬ字状に折り曲げられず、スライダ本体１をスムーズに走行可能としている。また、第１当り凸部41は、雌雄一方部Ｆａを前後方向にガイド（案内）し、挿通をスムーズにする。
【００１７】
また、スライダ本体１は、雌雄他方部Ｆｂが第２誘導路12から第２側方開口部32を介して側外方へ抜けるのを防止する第２当り凸部42を有している。
第２当り凸部42は、第２誘導路12の前方開口部12ａ近傍から第２誘導路12の前後中間部にまで対応して設けている。第２当り凸部42は、（第２誘導路12の上面と同一面状の）第２側方開口部32の上面から、下方突出状に設けている。そして、第２当り凸部42の下面は、（第２誘導路12の下面と同一面状の）第２側方開口部32の下面との間で、第２シート部Ｓ２の端縁部Ｓｂが横断面一文字状に挿通可能に設けている（図４参照）。従って、図20の従来技術のように第２シート部Ｓ２の端縁部ＳｂがＬ字状に折り曲げられず、スライダ本体１をスムーズに走行可能としている。また、第２当り凸部42は、雌雄他方部Ｆｂを前後方向にガイドし、挿通をスムーズにする。
【００１８】
また、第１誘導路11の左右他方側の内側面を形成する第２側壁部22の内側面22ｄは、雌雄一方部Ｆａを、左右他方側へ位置ズレするのを阻止すると共に、前後方向にガイド（案内）する。
第２誘導路12の左右一方側の内側面を形成する第１側壁部21の内側面21ｄは、雌雄他方部Ｆｂを、左右一方側へ位置ズレするのを阻止すると共に、前後方向にガイドする。
【００１９】
さらに、スライダ本体１は、第１側壁部21に第２当り凸部42の内側面42ｄに対応するように開口する（対面状に開口する）金型抜き用の第１窓部51を有している。スライダ本体１を左右一方側から見る（例えば、図８（ｂ）のように見る）と、第１窓部51は、第２当り凸部42の内側面42ｄの全面が見える（露出する）ように開口（開放）している。第１窓部51の上面は、第２誘導路12の上面と同一面状（上）であり、第１窓部51の下面は、第２誘導路12の下面と同一面状である（段差無く連続している）。
【００２０】
また、スライダ本体１は、第２側壁部22に第１当り凸部41の内側面41ｄに対応するように開口する金型抜き用の第２窓部52を有している。スライダ本体１を左右他方側から見る（例えば、図８（ｃ）のように見る）と、第１当り凸部41の内側面41ｄの全面が見えるように開口している。第２窓部52の上面は、第１誘導路11の上面と同一面状であり、第２窓部52の下面は、第１誘導路11の下面と同一面状に（段差無く）開口している。
【００２１】
このように、左右一方側へ開口する第１窓部51と、左右他方側へ開口する第２窓部52と、を設けたので、図９に示すように、左右方向に分割される一対の分割金型71，72によって、スライダ本体１の金型成形（樹脂成形）が可能となる。なお、図面を見やすくするために、図９に於て、第１・第２金型71，72を端面図で図示し、スライダ本体１を断面図で図示している。
【００２２】
例えば、左右一方側の第１分割金型71に、第２当り凸部42の内側面42ｄを形成するための成形用端面71ｄを有する第１成形用凸部71ｅを設けている。
第１成形用凸部71ｅは、第２誘導路12において第２当り凸部42の内側面42ｄと対応する（接する）部分を成形するためのものでもある。
そして、左右他方側の第２分割金型72に、第１当り凸部41の内側面41ｄを形成するための成形用端面72ｄを有する第２成形用凸部72ｅを設けている。第２成形用凸部72ｅは、第１誘導路11において第１当り凸部41の内側面41ｄに対応する部分を成形するためのものでもある。
【００２３】
また、第１分割金型71に、第２成形用凸部72ｅで成形しない第１誘導路11の残部（第２側壁部22の内側面22ｄ等）と、第１側方開口部31とを、形成するための第１凸状成形部を設けている。
そして、その第１凸状成形部を左右一方側へ抜くための金型抜き用開口部を、第１側方開口部31としている。つまり、第１側方開口部31は、使用時でのシート挿通用と、製造時での金型抜き用と、を併用している。
また、第２分割金型72に、第１成形用凸部71ｅで成形しない（対応しない）第２誘導路12の残部（第１側壁部21の内側面21ｄ等）と、第２側方開口部32とを、形成するための第２凸状成形部を、設けている。
そして、その第２凸状成形部を左右他方側へ抜くための金型抜き用開口部を、第２側方開口部32としている。つまり、第２側方開口部32は、シート挿通用と、金型抜き用と、を併用している。
【００２４】
図９（ａ）に示すように、第１・第２分割金型71，72を相互に接近させて組付状態にしてキャビティ70を形成する。キャビティ70内に溶融樹脂等の素材を充填して固化した後に、第１・第２分割金型71，72を左右方向に離間させる。
つまり、第１窓部51を介して第１成形用凸部71ｅを左右一方側へ引き出すと共に、第１側方開口部31を介して第１凸状成形部を左右一方側へ引き出す。また、第２窓部52を介して第２成形用凸部72ｅを左右他方側へ引き出すと共に、第２側方開口部32を介して第２凸状成形部を左右他方側へ引き出す。
【００２５】
従って、図21に示す従来技術のような、第１誘導路91を形成するために前後方向に引き抜かれる第１引き抜き中子（スライドコア）83と、第２誘導路92を形成するために前後方向に引き抜かれる第２引き抜き中子（スライドコア）84と、が不必要となる。
しかも、左右方向に分離する一対の分割金型71，72で、第１・第２誘導路11，12を形成（成形）できるため、図３に示すように、第１・第２誘導路11，12を、前方開口部11ａ，12ａから後方側Ｎｂへ向かって、前後方向に水平状（平行状）の前側誘導部11ｅ，12ｅと、その前側誘導部11ｅ，12ｅの後端から絞り部13へ向かって傾斜する傾斜状誘導部11ｆ，12ｆと、を有する中間屈折形状とすることができる。
このような中間屈折形状の誘導路11，12は、前側誘導部11ｅ，12ｅにて、第１シート部Ｓ１と第２シート部Ｓ２とを相互に平行面状に整えた後に、傾斜状誘導部11ｆ，12ｆにて、絞り部13へ誘導でき、ファスナＦの係合をスムーズかつ確実に行うことが可能となる。
【００２６】
次に、本発明のスライダ構造体の第２の実施形態について説明する。
先ず、図10乃至図12と図17と図18に示すように、スライダ本体１は、天壁部23の前端23ａよりも仕切壁部25の前端25ａを前方側Ｎａに配設し、さらに、底壁部24に、仕切壁部25の前端25ａよりも前方側Ｎａへ延伸状に突設された誘引突片部24ｋを設けている。
【００２７】
仕切壁部25の前部25ｋ（以下、仕切前部25ｋと呼ぶ場合もある）の上面と、誘引突片部24ｋの上面とは、相互に平行な平坦面状に形成している。また、誘引突片部24ｋの上面と、第２誘導路12の前方開口部12ａの下面とは、同一平面状に形成している。
【００２８】
天壁部23に対して、仕切前部25ｋの上面と、誘引突片部24ｋの上面とを、前方側Ｎａへ向かって下る階段状に設けるこことで、平面視（上方から見て）、仕切前部25ｋの上面と、誘引突片部24ｋの上面と、が露出する（目視可能である）。
【００２９】
ここで、図示省略するが、従来例（比較例）のスライダ本体において、天壁部の前端と、仕切壁部の前端と、底壁部の前端と、を前後方向同位置に配設した場合は、下側誘導路（第２誘導路）に第２シート部を差込むために、シート部の裏面側から覗き込むようにしながら差込み作業を行う必要があり、スライダ装着作業が困難という問題があった。
【００３０】
しかし、上述のように、図10乃至図18に示す（第２の実施形態の）スライダ構造体は、第２誘導路12の前方開口部12ａの前方位置に、第２シート部Ｓ２を載置可能な誘引突片部24ｋを有しているので、図19（ａ）に示すように、先ず、第２シート部Ｓ２の係合開始端（一端）を、上方から誘引突片部24ｋの上面に載置し、その後、図19（ｂ）に示すように、第２シート部Ｓ２を後方側Ｎｂへ移動させて第２誘導路12内へ導入する（差込む）。
そして、図19（ｃ）に示すように、第１シート部Ｓ１の係合開始端（一端）を、上方から仕切前部25ｋの上面に載置し、その後、図19（ｄ）に示すように、第１シート部Ｓ１を後方側Ｎｂへ移動させて第１誘導路11内へ導入する（差込む）ことが可能となる。
【００３１】
従って、スライダ装着作業者が、第２シート部Ｓ２の裏面側を覗き込むように視線や姿勢を大きく変化させる必要が無く、上方から見るだけで（視線や姿勢を大きく動かさず）、容易に装着できる。特に、第１シート部Ｓ１を有するシート体と、第２シート部Ｓ２を有するシート体とが、非常に大きい（広い）シート体である場合に、大きく重いシート体をめくり返したり、作業者が、シート裏面側へ、頭を潜らせる必要が無くなって、好適である。また、図13と図14に示すようにファスナＦが、２条の雄部と２条の雌部で構成される２連タイプのような、幅広のファスナＦにも好適である。
【００３２】
なお、先に差込んだ第２シート部Ｓ２の係合開始端と、後から差込んだ第１シート部Ｓ１の係合開始端を合わせる（揃える）には、図13と図14に示すように、第２誘導路12から第２側方開口部32を介して露出している第２シート部Ｓ２の係合開始端に、第１誘導路11から第１側方開口部31を介して露出している第１シート部Ｓ１の係合開始端を、目視にて合わせることができる。
【００３３】
また、スライダ本体１は、天壁部23に、スライダ操作者が指で把持して前後スライド操作が可能な摘まみ部28を一体に有している。摘まみ部28は、上方凸片状に設けられ正面視半円形状である。
図10乃至図19の第２の実施形態において、他の構成及び作用効果は、上述の図１乃至図９の実施形態と同様であって、例えば、スライダ本体１は、第１・第２当り凸部41，42や第１・第２窓部51，52等を有し、左右方向に分離する一対の分割金型71，72で成型可能である。なお、図12と図19の断面側面図は、図15のＣ−Ｃを切り口とした切断面を図示している。
【００３４】
なお、本発明は、設計変更可能であって、図１〜図９の実施形態において、底壁部24に誘引突片部24ｋを前方延伸状に設けても良い。また、被取付部29に替えて摘まみ部28を突設するも良い。スライダ本体１の被取付部29の構成（形状）は、分割金型で成形可能であれば自由である。また、被取付部29への把持部材２の取着は、樹脂や金属等の素材の弾性変形を利用して（工具や接着剤等を使用せずに）、人の手で取着可能な構成が好ましい。把持部材２は、成形用の金型による樹脂成形（型）品が好ましいが金属製とするも良い。また、摘まみ部28の形状は自由である。また、図例では、ファスナ雌雄一方部Ｆａを雄部とし、ファスナ雌雄他方部Ｆｂを雌部として図示しているが、雌雄が逆であっても良い。ファスナＦ（Ｆａ，Ｆｂ）は樹脂製であって、形状や係合・離脱構成は、図例に限らず自由である。
【００３５】
なお、本発明のスライダ構造体が使用される相手部材は、ファスナ係合状態（閉状態）で、第１シート部Ｓ１の外端縁部と、第２シート部Ｓ２の外端縁部とが、ファスナ幅方向に所定ラップ寸法をもって、シート厚み方向に重なって（ラップして）配設されるものであれば良く、ファスナＦを有する開口部が形成された袋体や衣類、シート体等自由である。
また、本発明の説明を容易にするために、ファスナ長手方向を前後方向と呼び、ファスナ幅方向を左右方向と呼び、シート厚み方向（ファスナ高さ方向）を上下方向とし、被取付部29側を、上方と呼んでいる。したがって、方向を基に、使用状態の姿勢を限定するものではない。
【００３６】
以上のように、本発明のスライダ構造体は、第１シート部Ｓ１の外端縁部に設けられたファスナ雌雄一方部Ｆａと第２シート部Ｓ２の外端縁部に設けられたファスナ雌雄他方部Ｆｂとを相互に押圧して係合させるための絞り部13と、上記ファスナ雌雄一方部Ｆａを上記絞り部13へ誘導する第１誘導路11と、上記ファスナ雌雄他方部Ｆｂを上記絞り部13へ誘導する第２誘導路12と、を有するスライダ本体１を備えた、スライダ構造体に於て、上記スライダ本体１は、左右一方の第１側壁部21側に上記第１誘導路11及び上記絞り部13から側外方へ上記第１シート部Ｓ１の端縁部Ｓａを挿通させるための第１側方開口部31を有すると共に、上記ファスナ雌雄一方部Ｆａが上記第１誘導路11から上記第１側方開口部31を介して側外方へ抜けるのを防止する第１当り凸部41を有し、上記スライダ本体１は、左右他方の第２側壁部22側に上記第２誘導路12及び上記絞り部13から側外方へ上記第２シート部Ｓ２の端縁部Ｓｂを挿通させるための第２側方開口部32を有すると共に、上記ファスナ雌雄他方部Ｆｂが上記第２誘導路12から上記第２側方開口部32を介して側外方へ抜けるのを防止する第２当り凸部42を有し、さらに、上記スライダ本体１は、上記第１側壁部21に上記第２当り凸部42の内側面42ｄに対応する金型抜き用の第１窓部51を有すると共に、上記第２側壁部22に上記第１当り凸部41の内側面41ｄに対応する金型抜き用の第２窓部52を有するので、スライダ本体１を作製するための金型の構成を簡素化でき、容易に製作できると共に、保守点検も容易かつ迅速に行うことができる。１セット（左右一対）の分割金型71，72で、複数個のスライダ本体１を同時成形（複数採り）でき、大量生産に好適で、生産効率を大幅に向上できる。
【００３７】
また、スライダ本体１は、第１誘導路11を天壁部23側に有すると共に、第２誘導路12を底壁部24側に有し、かつ、第１誘導路11の下面を形成すると共に第２誘導路12の上面を形成する仕切壁部25を有し、さらに、スライダ本体１は、底壁部24に、天壁部23の前端23ａ及び仕切壁部25の前端25ａよりも前方側Ｎａへ延伸状に突設され第２シート部Ｓ２が載置される誘引突片部24ｋを有するので、スライダ装着作業者が、視線や姿勢を大きく変化させる必要が無く、容易かつ迅速にスライダ本体１を第１・第２シート部Ｓ１，Ｓ２に装着できる。特に、非常に大きい（広い）シートである場合に、大きく重いシートをめくり返したり、作業者が、シート裏面側へ、頭を潜らせる必要が無く、好適である。また、ファスナＦが幅広のものであっても容易に装着できる（各誘導路11，12へ容易に差込むことができる）。
【符号の説明】
【００３８】
１  スライダ本体
11  第１誘導路
12  第２誘導路
13  絞り部
21  第１側壁部
22  第２側壁部
23  天壁部
23ａ  前端
24  底壁部
24ｋ  誘引突片部
25  仕切壁部
25ａ  前端
31  第１側方開口部
32  第２側方開口部
41  第１当り凸部
41ｄ  内側面
42  第２当り凸部
42ｄ  内側面
51  第１窓部
52  第２窓部
Ｆａ  ファスナ雌雄一方部
Ｆｂ  ファスナ雌雄他方部
Ｎａ  前方側
Ｓ１  第１シート部
Ｓ２  第２シート部
Ｓａ  端縁部
Ｓｂ  端縁部
【図１】
2019162166.tif 000003
【図２】
2019162166.tif 000004
【図３】
2019162166.tif 000005
【図４】
2019162166.tif 000006
【図５】
2019162166.tif 000007
【図６】
2019162166.tif 000008
【図７】
2019162166.tif 000009
【図８】
2019162166.tif 000010
【図９】
2019162166.tif 000011
【図１０】
2019162166.tif 000012
【図１１】
2019162166.tif 000013
【図１２】
2019162166.tif 000014
【図１３】
2019162166.tif 000015
【図１４】
2019162166.tif 000016
【図１５】
2019162166.tif 000017
【図１６】
2019162166.tif 000018
【図１７】
2019162166.tif 000019
【図１８】
2019162166.tif 000020
【図１９】
2019162166.tif 000021
【図２０】
2019162166.tif 000022
【図２１】
2019162166.tif 000023